(57)【要約】【課題】  利用者が使用する時点での多様な利用形態に合わせて内蔵機器の接続方法を変える点までの開示は従来技術には無い。本発明は、この様な課題に基づき、利用者が使用する時点で多様な利用形態に合わせて内蔵機器の接続方法を変更可能な情報処理装置を提供することを目的とする。【解決手段】  本発明によれば、利用者が使用する時点で多様な利用形態に合わせて内蔵機器の接続方法を変更可能な情報処理装置を提供すること可能になる。【選択図】  図３
2005050258.tif 000002
【特許請求の範囲】
【請求項１】
本体部と、
本体部とのデータ交換を行うための第１のコネクタを有し、反転させて本体部内に設置可能な内蔵機器と、
前記内蔵機器の第１のコネクタと接続するための第２のコネクタを２つ有した基板と
を具備したことを特徴とした情報処理装置。
【請求項２】
前記基板に配置する第２のコネクタは、前記内蔵機器の取り付け方向の略中心線に対して対称となる位置に配置することを特徴とした請求項１記載の情報処理装置。
【請求項３】
本体部と、
本体部とのデータ交換を行うための第１のコネクタを有し、反転させて本体内部に設置可能な光磁気ディスク装置と、
前記光磁気ディスク装置の第１のコネクタと接続するための第２のコネクタを２つ有すると共に、前記第２のコネクタは、前記内蔵機器の取り付け方向の略中心線に対して対称となる位置に配置する基板を具備したことを特徴とした情報処理装置。
【請求項４】
前記光磁気ディスク装置の取り付け状態に応じて、前記第１のコネクタと前記第２のコネクタのいずれか一つを用いて接続することを特徴とした請求項３記載の情報処理装置。
【請求項５】
本体部と、本体部とのデータ交換を行うための第１のコネクタを有し、反転させて本体部内に設置可能な内蔵機器と、前記内蔵機器の第１のコネクタと接続するための第２のコネクタを２つ有した基板とを有した情報処理装置における内蔵機器接続方法であって、
前記基板に配置する第２のコネクタは、前記内蔵機器の取り付け方向の略中心線に対して対称となる位置に配置し、
前記内蔵機器の状態に応じて第1のコネクタと、第２のコネクタの一つとを接続したことを特徴とした情報処理装置における内蔵機器接続方法。
【請求項６】
本体部と、本体部とのデータ交換を行うための第１のコネクタを有し、反転させて本体内部に設置可能な光磁気ディスク装置と、前記光磁気ディスク装置の第１のコネクタと接続するための第２のコネクタを２つ有すると共に、前記第２のコネクタは、前記内蔵機器の取り付け方向の略中心線に対して対称となる位置に配置する基板を具備した情報処理装置における内蔵機器接続方法であって、
前記内蔵機器の状態に応じて第1のコネクタと、第２のコネクタの一つとを接続したことを特徴とした情報処理装置における内蔵機器接続方法。
【発明の詳細な説明】
【技術分野】
【０００１】
本発明は、情報処理装置に係り、特に情報処理装置における内蔵機器接続方法に関する。
【背景技術】
【０００２】
パーソナルコンピュータ等の情報処理装置が普及するに伴い、製造側で決められていた装置の利用形態に従って利用者は装置を使用しているのが一般的であった。しかしながら、近年になり利用者の多様化に合わせて、装置の利用方法に関しても多様化が進み、より多様化した利用者にとって使いやすい形態に合わせた情報処理装置も製造されるようになった。例えば、光磁気ディスクドライブ装置を内蔵する情報処理装置を想定した場合、多様な利用形態に応じてひとつずつ情報処理装置への光磁気ディスクドライブ装置内蔵のために設計を変更するする方法では、製造コスト等の面で課題が残る。
【０００３】
この様な課題に対して、機器構造の共用化を図ることで製造コスト低減を試みたものとして特許文献１に示すものがある。
【特許文献１】特開２０００−２４４１５１
【発明の開示】
【発明が解決しようとする課題】
【０００４】
上記特許文献１に記載された内容では、プリント基板上の装着されるコネクタ位置をプリント基板の左右のほぼ中心に配置することで、多種機器に共用できるようにしている。しかしながら、特許文献１に記載された内容は、あくまでも製造時点でいずれかの機器に対応させるために配置位置が固定化されてしまい、利用者が使用する時点での多様な利用形態に合わせて内蔵機器の接続方法を変える点までの開示は無い。
【０００５】
本発明は、この様な課題に基づき、利用者が使用する時点で多様な利用形態に合わせて内蔵機器の接続方法を変更可能な情報処理装置を提供することを目的とする。
【課題を解決するための手段】
【０００６】
本発明の情報処理装置は、本体部と、本体部とのデータ交換を行うための第１のコネクタを有し、反転させて本体部内に設置可能な内蔵機器と、前記内蔵機器の第１のコネクタと接続するための第２のコネクタを２つ有した基板とを具備したことを特徴とする。
【発明の効果】
【０００７】
本発明によれば、利用者が使用する時点での多様な利用形態に合わせて内蔵機器の接続方法を変更可能な情報処理装置を提供すること可能になる。
【発明を実施するための最良の形態】
【０００８】
以下、図面を参照して本発明の実施例を説明する。
【実施例１】
【０００９】
図１は、情報処理装置全体の構成を示した図である。ここでは、情報処理装置の一例としてデスクトップ型のパーソナルコンピュータの場合について説明する。
【００１０】
情報処理装置１００は、大きく本体部１０、液晶ディスプレイ部２１、キーボード部２２から構成されている。本体部１０には、図示しない内部に装置全体を制御するためのＣＰＵ等の各種制御ＩＣが内蔵されている。また、本体部１０の正面には、電源ボタン１１と、ＵＳＢコネクタ１３が配置されている。更に、内蔵機器の一つである光磁気ディスク装置１２のディスク取り出し面が配置されている。液晶ディスプレイ２１は、本体部１０側で処理された各種データを表示するためのものである。また、キーボード部２２は、本体部１０へ各種データを入力するためのものである。液晶ディスプレイ部２１、キーボード部２２は、図示しない接続ケーブルで各々本体部１０と接続している。
【００１１】
図２は、情報処理装置の本体部を正面から見た図である。本体部１０の正面には、前述したように電源ボタン１１、ＵＳＢコネクタ１３、光磁気ディスク装置１２の取り出し面が配置されている。本体部１０の下側にある取り付け台１５は、本体部１０から取り外し可能になっている。例えば、本体部１０を縦型にして使用する場合は、安定化のために取り付け台１５を設置し、横型にする場合には取り付け台１５をはずした状態で設置するように構成されている。
【００１２】
この発明では、情報処理装置１００及び光磁気ディスク装置１２自体の構成には特徴が無いので詳細な説明は省略する。利用者は図示しない光磁気ディスクを光磁気ディスク装置１２のトレイに配置することで、本体部１０と光磁気ディスク装置１２との間でデータの読み書きなどを行うことができる。
【００１３】
この光磁気ディスクを装置１２へ配置する際には、利用者による本体部の設置状態（縦置き／横置き等）に応じて、トレイの配置面側を調整する必要がある。例えば、本体部１０を縦置きにして図２（ａ）の矢印Ａ側からディスクを配置する場合や、横置きにして図２（ｂ）の矢印Ｃ側からディスクを配置する場合は、本体部１０の面Ａ側からディスクを配置することになる。また、本体部１０を縦置きにして図２（ａ）の矢印Ｂ側からディスクを配置する場合や、横置きにして図２（ｃ）の矢印Ｄ側からディスクを配置する場合は、本体部１０の面Ｂ側からディスクを配置することになる。
【００１４】
図３は、内蔵機器の接続状態を説明するための図である。図３（ａ）は、本体部１０を縦置きにして面Ａ側からディスクを配置する場合で、光磁気ディスク装置の図示しないトレイ取り出し操作によりトレイが出ている状態を示している。トレイ２０に光磁気ディスクを設置する。トレイ２０には、爪部１４が設けられており、縦置きした場合に、光磁気ディスクがトレイから外れないようにしている。爪部１４は、必要に応じて、ディスク面に係るよう利用者が移動することが可能であり、爪部１４ａはディスクに係る位置に移動させ、爪部１４ｂはディスクに係らない位置に移動させる。
【００１５】
図３（ｂ）は、本体部１０内の取り付け状態を示すものである。光磁気ディスク装置１２には、トレイ２０、爪部１４ａｂ、ピックアップ部１６等が設けられ、更に本体部１０と接続するためのコネクタ１７を有している。一方、本体部１０の基板１９には、内部機器接続用のコネクタ１８が２個設けられている。コネクタ１８は、内蔵機器が反転した状態でも接続可能なように、本体部１０の基板１９上に取り付け対象となる内蔵機器の取り付け方向と平行な略中心線に対して対称な位置に設けられている。
【００１６】
初期設定では、コネクタ１８ａが用いられる。光磁気ディスク装置１２のコネクタ１７と本体部１０の基板１９上のコネクタ１８ａとが接続される。接続は、コネクタ１７とコネクタ１８をダイレクトに接続するものでも良いし、配線ケーブルを介して接続するものでも良い。
【００１７】
そして、利用者が利用形態を変えることで、コネクタ１８ｂも使用することになる。図は、面Ａ側からディスクを配置する場合の本体部１０内部のコネクタ接続状態を示している。すなわち、図２（ａ）の矢印Ａ側からディスクを配置する場合や、横置きにして図２（ｂ）の矢印Ｃ側からディスクを配置する場合は、この接続状態となる。
【００１８】
図４は、内蔵機器の接続状態を説明するための図である。図４（ａ）は、本体部１０を縦置きにして面Ｂ側からディスクを配置する場合で、光磁気ディスク装置の図示しないトレイ取り出し操作によりトレイ２０が出ている状態を示している。爪部１４ｂはディスクに係る位置に移動させ、爪部１４ａはディスクに係らない位置に移動させている。
【００１９】
図４（ｂ）は、面Ｂ側からディスクを配置する場合の本体部１０内部のコネクタ接続状態を示している。すなわち、図２（ａ）の矢印Ｂ側からディスクを配置する場合や、横置きにして図２（ｃ）の矢印Ｄ側からディスクを配置する場合は、この接続状態となる。
【００２０】
このように利用者の利用形態に応じて、利用し易い状態で内部機器の設置位置を変更することができる、使い勝手の良い情報処理装置を提供することが可能となる。
【００２１】
この実施例では、内蔵機器の例として光磁気ディスク装置を挙げたがこれに限るものではなく、同様に利用形態に応じて設置位置を変えることが必要となる内蔵機器であれば同様の効果を得ることが可能である。
【図面の簡単な説明】
【００２２】
【図１】情報処理装置全体の構成を示した図。
【図２】情報処理装置の本体部を正面から見た図。
【図３】内蔵機器の接続状態を説明するための図。
【図４】内蔵機器の接続状態を説明するための図。
【符号の説明】
【００２３】
１００  情報処理装置
１０  本体部
１１  電源ボタン
１２  光磁気ディスク装置
１３  ＵＳＢコネクタ
２１  液晶ディスプレイ装置
２２  キーボード装置
１４  爪部
１５  取り付け台
１６  ピックアップ部
１７  コネクタ
１８  コネクタ
１９  基板
２０  トレイ
【図１】
2005050258.tif 000003
【図２】
2005050258.tif 000004
【図３】
2005050258.tif 000005
【図４】
2005050258.tif 000006